(57)【特許請求の範囲】
【請求項１】
ボイスコイルにより駆動されるコーン部と、その周りに一体的に連設された弾性支持部としてのエッジ部とを含むスピーカ用振動板において、
上記コーン部と上記エッジ部とが、導電処理が施された樹脂製の基材の少なくとも片面に導電布を貼着してなる導電フォーム材により一体として形成されていることを特徴とするスピーカ用振動板。
【請求項２】
上記基材が通気性を有する発泡樹脂製からなることを特徴とする請求項１に記載のスピーカ用振動板。
【請求項３】
上記コーン部には、剛性付与材としての硬化性樹脂が含浸されていることを特徴とする請求項１または２に記載のスピーカ用振動板。
【請求項４】
上記エッジ部には、硬化後においても弾力性を発揮するゴム系樹脂が含浸されていることを特徴とする請求項１ないし３のいずれか１項に記載のスピーカ用振動板。
【請求項５】
ボイスコイルが取り付けられた振動板、上記ボイスコイルに対する磁気ギャップを有する磁気発生回路部および円盤状をなすユニットフレームを含み、上記磁気発生回路部が上記ユニットフレームの中央部分に配置されているとともに、上記ボイスコイルが上記磁気ギャップ内で振動し得るように上記振動板の周縁が上記ユニットフレームに支持されているヘッドホンユニットと、
上記ユニットフレームの周りに配置されたバッフル板と、
上記ヘッドホンユニットの背面側に所定容積の背部空気室を形成するように上記バッフル板に取り付けられたヘッドホンハウジングとを備えているヘッドホンにおいて、
少なくとも上記バッフル板および上記ヘッドホンハウジングが導電材により形成されているとともに、上記振動板に請求項１ないし４のいずれか１項に記載の導電フォーム材よりなるスピーカ用振動板が用いられ、上記背部空気室を静電シールド空間としてなることを特徴とするヘッドホン。
【請求項６】
上記スピーカ用振動板には上記請求項２ないし４のいずれか１項に記載の基材よりなる導電フォーム材が用いられているとともに、上記バッフル板には上記背部空気室と連通する音響特性調整用の開口部が穿設されており、上記開口部が上記スピーカ用振動板におけるエッジ部周縁に形成されている平坦なフランジにより覆われていることを特徴とする請求項５に記載のヘッドホン。
【発明の詳細な説明】
【技術分野】
【０００１】
本発明は、スピーカ用振動板およびヘッドホンに関し、さらに詳しく言えば、導電性を有するスピーカ用振動板および同スピーカ用振動板を用いることによりベッドホンユニットの背部空気室を静電シールド空間としたヘッドホンに関するものである。
【背景技術】
【０００２】
特許文献１に記載されているように、スピーカ用振動板の素材には、コーン紙と呼ばれる特殊な紙材，織布または不織布，プラスチックフィルム，発泡ウレタン等のプラスチックシート等が用いられているが、これらの素材は、いずれも不導体である。
【０００３】
ところで、近年では、周囲の騒音（外来雑音）に妨げられることなくスピーカからの音を聴取できるようにするためのノイズキャンセル機能を備えたヘッドホンが開発され、市販されている。
【０００４】
このノイズキャンセリングヘッドホンでは、外来雑音を収音する小型のコンデンサマイクロホンが搭載され、その音声信号を例えばミキサー回路やパワーアンプ等を含む音声出力回路を介してスピーカのボイスコイル（ダブルボイスコイル）に与える。このノイズキャンセル機能によれば、外来雑音を打ち消すことができるが、外来電磁波に対しては有効でない。
【０００５】
近年、携帯電話機の使用頻度が高くなっているが、携帯電話機からはかなり強い電磁波が放射される。したがって、ヘッドホンの近くで携帯電話機が使用されると、その電磁波がコンデンサマイクロホンが備えているインピーダンス変換器としてのＦＥＴ（電界効果トランジスタ）や音声出力回路内の電子部品に干渉し、これが原因で雑音が発生し、あるいは誤動作を生じさせる。ヘッドホンの近くで、静電気放電が発生した場合にも同様な問題が生ずる。
【０００６】
ノイズキャンセリングヘッドホンにおいて、通常、コンデンサマイクロホンやその音声出力回路等は、ヘッドホンのヘッドホンハウジング（エンクロージャもしくはヘッドホンキャビネットとも言う）内に収納されている。
【０００７】
そこで、ヘッドホンハウジング内を静電シールドするため、ヘッドホンハウジングを例えばダイカスト等の金属材により作成することが考えられるが、振動板は上記したように不導体であるため、ヘッドホンハウジング内を静電シールドすることができない。
【先行技術文献】
【特許文献】
【０００８】
【特許文献１】特開平６−１５３２９２号公報
【発明の概要】
【発明が解決しようとする課題】
【０００９】
そこで、本発明の課題は、導電性を有するスピーカ用振動板を提供するとともに、同スピーカ用振動板を用いることにより、金属材よりなるヘッドホンハウジング等との組み合わせで、ヘッドホンハウジング内を静電シールド空間とすることができるようにしたヘッドホンを実現することにある。
【課題を解決するための手段】
【００１０】
上記課題を解決するため、請求項１に記載の発明は、ボイスコイルにより駆動されるコーン部と、その周りに一体的に連設された弾性支持部としてのエッジ部とを含むスピーカ用振動板において、上記コーン部と上記エッジ部とが、導電処理が施された通気性を有する発泡樹脂製の基材の少なくとも片面に導電布を貼着してなる導電フォーム材により一体として形成されていることを特徴としている。
【００１１】
請求項２に記載の発明は、請求項１において、上記基材が通気性を有する発泡樹脂製からなることを特徴とする請求項１に記載のスピーカ用振動板。
【００１２】
請求項３に記載の発明は、請求項１または２において、上記コーン部には、剛性付与材としての硬化性樹脂が含浸されていることを特徴としている。
【００１３】
請求項４に記載の発明は、請求項１ないし３において、上記エッジ部には、硬化後においても弾力性を発揮するゴム系樹脂が含浸されていることを特徴としている。
【００１４】
請求項５に記載の発明はヘッドホンに関し、ボイスコイルが取り付けられた振動板、上記ボイスコイルに対する磁気ギャップを有する磁気発生回路部および円盤状をなすユニットフレームを含み、上記磁気発生回路部が上記ユニットフレームの中央部分に配置されているとともに、上記ボイスコイルが上記磁気ギャップ内で振動し得るように上記振動板の周縁が上記ユニットフレームに支持されているヘッドホンユニットと、上記ユニットフレームの周りに配置されたバッフル板と、上記ヘッドホンユニットの背面側に所定容積の背部空気室を形成するように上記バッフル板に取り付けられたヘッドホンハウジングとを備えているヘッドホンにおいて、少なくとも上記バッフル板および上記ヘッドホンハウジングが導電材により形成されているとともに、上記振動板に請求項１ないし４のいずれか１項に記載の導電フォーム材よりなるスピーカ用振動板が用いられ、上記背部空気室を静電シールド空間としてなることを特徴としている。
【００１５】
請求項６に記載の発明は、請求項５において、上記スピーカ用振動板には上記請求項２ないし４のいずれか１項に記載の基材よりなる導電フォーム材が用いられているとともに、上記バッフル板には上記背部空気室と連通する音響特性調整用の開口部が穿設されており、上記開口部が上記スピーカ用振動板におけるエッジ部周縁に形成されている平坦なフランジにより覆われていることを特徴としている。
【発明の効果】
【００１６】
本発明のスピーカ用振動板は、コーン部とエッジ部とが、導電処理が施された樹脂製の基材、好ましくは通気性を有する発泡樹脂製の基材の少なくとも片面に導電布を貼着してなる導電フォーム材よりなり、振動板の面方向だけでなく厚み方向にも導電性を有するため、静電シールド部材として好適である。
【００１７】
また、コーン部に、剛性付与材としての硬化性樹脂を含浸させ、エッジ部には、硬化後においても弾力性を発揮するゴム系樹脂を含浸させることにより、導電フォーム材でありながら、振動板に必要とされる音響機械的強度を持たせることができる。
【００１８】
さらに、ヘッドホンについては、少なくともバッフル板およびヘッドホンハウジングを導電材により作成するとともに、スピーカ用振動板に上記導電フォーム材よりなる振動板を用いることにより、ヘッドホンハウジング内を静電シールド空間とすることができ、例えばノイズキャンセル機能を有するヘッドホンにおいては、静電気放電や電磁波に起因する雑音の発生や誤動作を確実に防止することができる。
【００１９】
また、上記スピーカ用振動板は通気性を有していることから、ヘッドホンユニットを支持するバッフル板に背部空気室と連通する音響特性調整用の開口部が穿設されている場合においては、その開口部をエッジ部周縁に形成されている平坦なフランジにて覆うことにより、スピーカ用振動板の一部を音響抵抗材として用いることもできる。
【図面の簡単な説明】
【００２０】
【図１】本発明の一実施形態に係るヘッドホンの内部構造を示す断面図。
【図２】本発明のヘッドホンに適用されるスピーカ用振動板を示す断面図。
【図３】本発明の別の実施形態を示す要部拡大断面図。
【発明を実施するための形態】
【００２１】
次に、図１ないし図３を参照して、本発明の実施形態について説明するが、本発明はこれに限定されるものではない。
【００２２】
図１に示すように、この実施形態に係るヘッドホン１は、基本的な構成として、ヘッドホンユニット１０と、バッフル板２０と、イヤーパッド３０と、ヘッドホンハウジング４０とを備え、図示しないヘッドバンド等を介して人体の頭部に装着される。
【００２３】
ヘッドホンユニット１０には、電気音響変換器として、スピーカ用振動板（以下、単に振動板という）１１０，磁気発生回路部１２０およびこれらを支持するユニットフレーム１３０が含まれている。
【００２４】
振動板１１０は、コーン部１１１と、その周りに一体的に連設された弾性支持部としてのエッジ部１１２とを備え、コーン部１１１とエッジ部１１２との境界部分の裏面側にはスピーカ駆動手段としてのボイスコイル１１３が取り付けられている。
【００２５】
また、磁気発生回路１２０は、円盤状で板厚方向に着磁された永久磁石１２１と、永久磁石１２１の一方の極側に配置されたセンターポールピース１２２と、永久磁石１２１の他方の極側に配置され、センターポールピース１２２との間で磁気ギャップＧを形成する皿状のヨーク１２３とから構成されている。
【００２６】
ユニットフレーム１３０は、例えばアルミニュウム等の軽量な金属材により円盤状に形成されていて、その中央部分で磁気発生回路部１２０を支持している。振動板１１０は、ボイスコイル１１３が磁気ギャップＧ内で振動するように、エッジ部１１２の端縁がユニットフレーム１３０の周縁部に支持されている。
【００２７】
バッフル板２０は、ドーナツ状を呈する円盤体からなり、その中央部分でヘッドホンユニット１０を支持する。バッフル板２０の放音面側（振動板側）の周囲には、イヤーパッド３０が取り付けられ、その背面側（反振動板側）には、エンクロージャとしてのヘッドホンハウジング４０が取り付けられる。ヘッドホンハウジング４０により、ヘッドホンユニット１０の背面側に所定容積の背部空気室Ａが形成される。
【００２８】
ボイスコイル１１３による起振力に追随して振動板１１０が忠実に振動するようにするため、ユニットフレーム１３０には、振動板１１０の背面側を背部空気室Ａに連通させる音響通路１３１が穿設されている。この音響通路１３１には、振動板１１０に所定のダンピング特性を与えて周波数特性を改善するために、不織布等からなる音響抵抗材１３２が設けられる。
【００２９】
本発明において、振動板１１０は、そのコーン部１１１とエッジ部１１２とが、図２に示す導電フォーム材１０１により一体に形成されている。この導電フォーム材１０１は、導電処理が施された樹脂製の基材１０２の好ましくは両面に導電布１０３を一体に貼着したフォーム材である。導電布１０３は基材１０２の片面だけに設けられてもよい。
【００３０】
この実施形態において、基材１０２には、通気性を有する導電ポリウレタンフォームが用いられ、導電布１０３には導電ポリエチレンテレフタレート（導電ＰＥＴ）繊維が用いられている。導電布に代えて導電不織布が用いられてもよい。この種の導電フォーム材としては、セーレン社製の導電フォームがある。
【００３１】
この導電フォーム材１０１は、振動板１１０の面方向ばかりでなく厚み方向にも導電性を有するため、静電シールド部材として好適である。
【００３２】
振動板１１０は、導電フォーム材１０１を加圧加熱成形することにより得られるが、成形後において、コーン部１１１には、例えばエポキシ樹脂等の熱硬化性樹脂を含浸して剛性を付与し、エッジ部１１２には、硬化後においても弾力性を発揮するゴム系樹脂を含浸し、スピーカ用振動板として必要とされる音響機械的強度を持たせることが好ましい。
【００３３】
このような導電性を有する振動板１１０を用いるとともに、少なくともバッフル板２０とヘッドホンハウジング４０（好ましくは、ユニットフレーム１３０を含めて）とを金属材（導電材）で形成することにより、背部空気室Ａを静電シールド空間とすることができる。
【００３４】
したがって、ノイズキャンセリングヘッドホンにおいては、コンデンサマイクロホンやその音声出力回路等を背部空気室Ａ内に収納することにより、静電気放電や電磁波に起因する雑音の発生や誤動作を確実に防止することができる。
【００３５】
なお、上記実施形態において、コーン部１１１はドーム状に形成され、エッジ部１１２はアップロール状に形成されているが、コーン部１１１はコニカルコーン，パラボリックコーン等であってもよく、また、エッジ部１１２は、フラットエッジ，コルゲーテッドエッジ，Ｖエッジ等であってもよい。
【００３６】
また、導電フォーム材１０１は、成形後においても通気性を有するため、図３に示すように、バッフル板２０に背部空気室Ａに連通する開口部２１を穿設し、この開口部２１に音響抵抗材を貼り付けて周波数応答等を調整するような場合、エッジ部１１２の端縁に平坦なフランジ１１４を形成し、このフランジ１１４で開口部２１を覆うことにより、導電フォーム材１０１を音響抵抗材としても利用することができる。
【符号の説明】
【００３７】
１  ヘッドホン
１０  ヘッドホンユニット
１０１  導電フォーム材
１０２  基材
１０３  導電布
１１０  振動板
１１１  コーン部
１１２  エッジ部
１１３  ボイスコイル
１１４  フランジ
１２０  磁気発生回路部
１２１  永久磁石
１２２  センターポールピース
１２３  ヨーク
１３０  ユニットフレーム
２０  バッフル板
３０  イヤーパッド
４０  ヘッドホンハウジング
Ａ  背部空気室
Ｇ  磁気ギャップ
【図１】
0005879187.tif 000002
【図２】
0005879187.tif 000003
【図３】
0005879187.tif 000004